(57)【要約】【課題】往復動する出力部を有しながら、振動を抑制することが可能である電動工具を提供する。【解決手段】レシプロソー１は、モータ（回転駆動軸４２）と、モータ（回転駆動軸４２）により駆動される動力変換部４と、動力変換部４につながるロッド６とを有しており、ロッド６の一方側に配置される第１のカウンタウェイト８４ａと、ロッド６の他方側に配置される第２のカウンタウェイト８４ｂとを有する。又、ロッド６は、動力変換部４につながるスライダ５８を備えており、カウンタウェイト８４ａ，８４ｂは、ロッド６につながっており、スライダ５８とカウンタウェイト８４ａ，８４ｂは、同一の水平面に入るように配置されている。【選択図】図１
2015188952.tif 000002
【特許請求の範囲】
【請求項１】
モータと、
前記モータにより駆動される往復動変換部と、
前記往復動変換部につながる出力部と
を有する電動工具であって、
前記出力部の一方側に配置される第１のカウンタウェイトと、前記出力部の他方側に配置される第２のカウンタウェイトとを有する
ことを特徴とする電動工具。
【請求項２】
モータと、
前記モータにより駆動される往復動変換部と、
前記往復動変換部につながるスライダを備える出力部と、
上下方向に延びるハンドル部と
を有する電動工具であって、
前記往復動変換部又は前記出力部につながるカウンタウェイトが設けられており、
前記スライダと前記カウンタウェイトは、同一の水平面に入るように配置されている
ことを特徴とする電動工具。
【請求項３】
モータと、
前記モータにより駆動される往復動変換部と、
前記往復動変換部につながる出力部と、
上下方向に延びるハンドル部と
を有する電動工具であって、
前記往復動変換部又は前記出力部につながるカウンタウェイト駆動部と、
前記カウンタウェイト駆動部につながるカウンタウェイトと
が設けられており、
前記カウンタウェイト駆動部は、上下方向に延びる回転軸につながっている
ことを特徴とする電動工具。
【請求項４】
前記カウンタウェイト駆動部は、前記往復動変換部又は前記出力部と、前記カウンタウェイトとに対し、それぞれベアリングを介してつながっている
ことを特徴とする請求項３に記載の電動工具。
【請求項５】
往復動する前記カウンタウェイトに接触可能なカウンタウェイトガイドが設けられている
ことを特徴とする請求項１ないし請求項４の何れかに記載の電動工具。
【請求項６】
前記カウンタウェイトガイドは、前記往復動変換部のハウジングと一体である
ことを特徴とする請求項５に記載の電動工具。
【発明の詳細な説明】
【技術分野】
【０００１】
本発明は、ブレードを往復動させて被加工材を切断する往復動切断工具を始めとする、往復動する出力部を有する電動工具に関する。
【背景技術】
【０００２】
下記特許文献１に示されるように、ブレードを取り付けたロッドを往復動させて切断作業を行うレシプロソーが知られている。
このレシプロソーでは、電動モータから出力される回転運動が往復動機構によりロッドの往復動に変換される。
【先行技術文献】
【特許文献】
【０００３】
【特許文献１】特開２００２−３７０１２３号公報
【発明の概要】
【発明が解決しようとする課題】
【０００４】
特許文献１のレシプロソーは、往復動機構を有するので、ブレードを往復動させて切断作業を行えるものの、切断作業時に振動が発生する。振動が発生しても、振動を想定した作業が行えるが、振動が抑制されれば、作業がより一層行い易くなる。
そこで、本発明は、往復動する出力部を有しながら、振動を抑制することが可能である電動工具を提供することを主な目的とするものである。
【課題を解決するための手段】
【０００５】
上記目的を達成するために、請求項１に記載の発明は、モータと、前記モータにより駆動される往復動変換部と、前記往復動変換部につながる出力部とを有する電動工具であって、前記出力部の一方側に配置される第１のカウンタウェイトと、前記出力部の他方側に配置される第２のカウンタウェイトとを有することを特徴とするものである。
上記目的を達成するために、請求項２に記載の発明は、モータと、前記モータにより駆動される往復動変換部と、前記往復動変換部につながるスライダを備える出力部と、上下方向に延びるハンドル部とを有する電動工具であって、前記往復動変換部又は前記出力部につながるカウンタウェイトが設けられており、前記スライダと前記カウンタウェイトは、同一の水平面に入るように配置されていることを特徴とするものである。
上記目的を達成するために、請求項３に記載の発明は、モータと、前記モータにより駆動される往復動変換部と、前記往復動変換部につながる出力部と、上下方向に延びるハンドル部とを有する電動工具であって、前記往復動変換部又は前記出力部につながるカウンタウェイト駆動部と、前記カウンタウェイト駆動部につながるカウンタウェイトとが設けられており、前記カウンタウェイト駆動部は、上下方向に延びる回転軸につながっていることを特徴とするものである。
請求項４に記載の発明は、上記目的に加え、シンプルな構成によってより一層円滑なカウンタウェイトの動作を確保する目的を達成するため、上記発明において、前記カウンタウェイト駆動部は、前記往復動変換部又は前記出力部と、前記カウンタウェイトとに対し、それぞれベアリングを介してつながっていることを特徴とするものである。
請求項５に記載の発明は、上記目的に加え、シンプルな構成によってカウンタウェイトの動作をより確実なものとして、防振性や耐久性を一層向上する目的を達成するため、上記発明において、往復動する前記カウンタウェイトに接触可能なカウンタウェイトガイドが設けられていることを特徴とするものである。
請求項６に記載の発明は、上記目的に加え、更にシンプル且つコンパクトでより防振性や耐久性の高い電動工具を提供する目的を達成するため、上記発明において、前記カウンタウェイトガイドは、前記往復動変換部のハウジングと一体であることを特徴とするものである。
【発明の効果】
【０００６】
本発明によれば、往復動する出力部を有しながら、振動を抑制することが可能である電動工具を提供することが可能となる、という効果を奏する。
【図面の簡単な説明】
【０００７】
【図１】本発明に係るレシプロソーの一部中央縦断面図（カウンタウェイト後退時）である。
【図２】図１の斜視図である。
【図３】図１の斜視図（カウンタウェイト前進時）である。
【図４】図２の上面図である。
【図５】図３の上面図である。
【図６】図４のＢ−Ｂ線断面図である。
【図７】図４のＣ−Ｃ線断面図である。
【図８】図４のＤ−Ｄ線断面図である。
【発明を実施するための形態】
【０００８】
以下、本発明の実施の形態やその変更例を、適宜図面に基づいて説明する。
当該形態は、電動工具の一例としての往復動切断工具に係るものであり、より具体的にはレシプロソーに係るものである。
尚、本発明は、当該形態や変更例に限定されない。
【０００９】
図１はレシプロソー１の一部中央（図４のＡ−Ａ線）断面図であり、図２，図３はレシプロソー１の斜視図（後述の前上ハウジング２２ａ及びガイドシュー１２のみ省略）であり、図４はレシプロソー１の上面図（後述の前上ハウジング２２ａのみ省略）であり、図５はレシプロソー１の上面図（後述の前上ハウジング２２ａ及びガイドシュー１２のみ省略）であり、図６は図４のＢ−Ｂ線断面図（一部省略）であり、図７はＣ−Ｃ線断面図（一部省略）であり、図８はＤ−Ｄ線断面図（一部省略）である。尚、図１，図４，図５の右がレシプロソー１の前であり、図４，図５の上がレシプロソー１の左であり、図１の上がレシプロソー１の上である。各方向は、説明の便宜上定めたものであり、実際には被加工材や作業者の向き等により変化することがある。
レシプロソー１は、動力部２と、往復動変換部としての動力伝達部４と、動力伝達部４につながる出力部としてのロッド６と、ロッド６に組み合わせられるカウンタウェイト機構８と、これらを収めるハウジング１０と、ハウジング１０の前端部から突き出されたガイドシュー１２と、ハウジング１０の後下部から延びるコードＶを有する。
【００１０】
ハウジング１０は、動力部２を収める本体ハウジング２０と、本体ハウジング２０の前側において動力伝達部４やロッド６、カウンタウェイト機構８を収める前ハウジング２２を含む。
本体ハウジング２０は、前部と後部で分離され、更に後部のみ左右に分離されている。本体ハウジング２０の前部は、筒状の前本体ハウジング２０ａであり、本体ハウジング２０の後部左は、後左本体ハウジング２０ｂであり、本体ハウジング２０の後部右は、後右本体ハウジング２０ｃである。これらは、前本体ハウジング２０ａの後端部を、後左本体ハウジング２０ｂと後右本体ハウジング２０ｃの前端部に合わせた状態で、後左本体ハウジング２０ｂと後右本体ハウジング２０ｃに対しネジ２４，２４・・を左右方向に通すことで、互いに組み合っている。
本体ハウジング２０の後部は、ループ状に形成されており、ループの後部は、上下方向に延びるハンドル部２６とされている。ハンドル部２６の前側には、トリガ形式のスイッチ２８が配置されている。
前ハウジング２２は、上下で分離され、前上ハウジング２２ａと前下ハウジング２２ｂを備えている。前下ハウジング２２ｂは、前本体ハウジング２０ａの前端下部に対し、前後方向の複数のネジ３０，３０により固定されている。前上ハウジング２２ａは、その後端部を前本体ハウジング２０ａの前端上部に入れた状態で、前下ハウジング２２ｂに対し、図示しない上下方向のネジにより固定されている。
尚、後述のギヤプレート７５も、動力伝達部４（後述のギヤ５０）を収めるハウジング（前ハウジング２２）としての機能を有する。
【００１１】
動力部２は、電動のモータ（回転駆動軸４２以外図示せず）を有する。モータの回転駆動軸４２は、前後方向に沿っており、モータの前部に配置されている。回転駆動軸４２の先端部の周囲には、歯が形成されている。
モータは、コードＶ及びスイッチ２８と電気的に接続されており、スイッチ２８がＯＮに切換えられる（トリガが引かれる）ことで、コードＶから給電される。
回転駆動軸４２の後部外側には、ファン４４が配置されている。ファン４４は、回転駆動軸４２に固定されている。
前上ハウジング２２ａの後端部と前下ハウジング２２ｂの後端部における、ファン４４の放射方向外側の各所には、ファン４４の排気を通す排気口４５，４５・・が設けられている。各排気口４５は、複数のスリットが並べられることで形成されている。
ファン４４の前方であって、回転駆動軸４２の周りには、軸受４６が配置されている。軸受４６は、回転駆動軸４２を回転可能に受け入れており、前上ハウジング２２ａの後端部と前下ハウジング２２ｂの後端部に挟まれることで固定されている。
【００１２】
動力伝達部４は、回転駆動軸４２先端部の歯に噛み合う傘歯を有する、水平な円盤状のギヤ５０と、ギヤ５０の中央部を通る上下方向の支持軸５４と、ギヤ５０の上面周縁部から上方へ突出するように取り付けられるガイドローラ５６と、ガイドローラ５６を左右に往復移動可能に受け入れるスライダ５８を備えている。
尚、スライダ５８は、動力伝達部４の構成要素ではなく、出力部（ロッド６）の構成要素として扱うことができる。
【００１３】
ギヤ５０は、回転駆動軸４２の先端部の上方に配置されており、支持軸５４の周りで回転可能である。ギヤ５０と支持軸５４の間には、軸受６０が介装されている。ギヤ５０の径（歯数）は、モータの回転駆動軸４２の径（歯数）より大きいので、回転駆動軸４２の回転はギヤ５０により減速される。
支持軸５４は、その下部を前下ハウジング２２ｂの孔に入れることで固定されている。
【００１４】
ガイドローラ５６は、ギヤ５０の回転中心に対して偏心した位置に取り付けられている。ガイドローラ５６は、ギヤ５０の周縁部においてその上部から上方へ突出するように取り付けられた、ギヤ５０と一体の軸６２に、回転可能に支持されており、上下方向の軸６２周りで回転可能である。
スライダ５８は、左右方向に延びる横長の部材である。スライダ５８は、左右方向に延びる、下方へ開いた断面Ｕ字状の溝部分を有しており、当該溝部分には、ガイドローラ５６が入っている。ガイドローラ５６は、スライダ５８の溝部分において自転することにより、当該溝部分に沿って移動可能である。
ギヤ５０が回転してガイドローラ５６が変位（公転）すると、ガイドローラ５６の前後方向の変位成分がスライダ５８に伝達される。よって、スライダ５８は、ガイドローラ５６を介し前後に往復動する。尚、ガイドローラ５６の公転における左右方向の変位成分は、ガイドローラ５６がスライダ５８内で自転し左右に往復することにより、スライダ５８には伝達されない。
【００１５】
ロッド６は、前後に延びる部材であり、その前端部には、ブレード取付部７０が設けられている。ブレード取付部７０は、これより後側の丸棒状のロッド基部７１に対して、上下左右に膨らんでいる。ブレード取付部７０には、図示しないブレードが取り付けられる。
ロッド基部７１外側には、前ロッドガイド７２と、後ロッドガイド７３が配置されている。前ロッドガイド７２と後ロッドガイド７３は、ロッド基部７１を受け入れる、ロッド基部７１と同径の前後方向の孔を、それぞれ有している。後ロッドガイド７３は、左右に長く、前ハウジング２２内部（左右方向）と同等の幅を有している。又、前ロッドガイド７２の前側には、ロッド基部７１を受け入れるシールリング７４ａ及びＸリング７４ｂが設けられている。シールリング７４ａ及びＸリング７４ｂは、内部に粉塵が入り込まないようにするためのシール部材である。
前ロッドガイド７２及び後ロッドガイド７３並びにシールリング７４ａ及びＸリング７４ｂは、前下ハウジング２２ｂの内面に、ギヤプレート７５を介してそれぞれ固定されている。前ロッドガイド７２及びギヤプレート７５は、ネジ７２ａ，７２ａにより固定され、後ロッドガイド７３及びギヤプレート７５は、ネジ７３ａ，７３ａにより固定されている。ロッド６は、前ロッドガイド７２及び後ロッドガイド７３（並びにシールリング７４ａ及びＸリング７４ｂ）に案内され、前後方向で移動可能である。
ギヤプレート７５は、中央部にギヤ５０の中央部を避ける孔を有する水平な板状の部材であり、ギヤ５０の上側に位置していて、ギヤ５０が定位置から上方にずれてしまうことを防止している。又、ギヤプレート７５は、左部（右部）に、上方に起立して前後上下に広がる、カウンタウェイトガイドとしてのガイド部７５ａ（７５ｂ）を備えている。
ロッド基部７１には、Ｕ字状の溝部分が露出した状態で、スライダ５８が固定されており、ロッド６は、スライダ５８が受け入れたガイドローラ５６により、前後に往復動される。
ブレードは、ガイドシュー１２を通る。ガイドシュー１２は、加工物に接触可能なシュープレート７７と、シュープレート７７と前下ハウジング２２ｂの間に配置されるシューサポータ７８を有する。シュープレート７７は、シューサポータ７８の前端部に対し、左右方向の軸７９を介して取り付けられており、軸７９の周りで回転可能である。
【００１６】
カウンタウェイト機構８は、カウンタウェイト駆動部としての一対の水平な連結ロッド８０ａ，８０ｂと、連結ロッド８０ａ（８０ｂ）につながる上下方向の回転軸としてのピン８２ａ（８２ｂ）と、前後方向に沿う一対のカウンタウェイト８４ａ，８４ｂと、カウンタウェイト８４ａ（８４ｂ）に配置される上下方向のウェイト側ベアリング８６ａ（８６ｂ）と、上下方向のロッド側ベアリング８８を含む。
尚、連結ロッド８０ａ，８０ｂの形状（端部の折れ曲がりの有無）及び各部材の配置を除き、連結ロッド８０ａ，８０ｂは互いに同様の部材であり、ピン８２ａ，８２ｂは互いに同様の部材であり、カウンタウェイト８４ａ，８４ｂは互いに同様の部材であり、ウェイト側ベアリング８６ａ，８６ｂは互いに同様の部材である。又、ウェイト側ベアリング８６ａ，８６ｂ、及びロッド側ベアリング８８は、ニードルベアリングである。
【００１７】
各連結ロッド８０ａ（８０ｂ）は、長辺と短辺を有する矩形板状であり、中央部にピン８２ａ（８２ｂ）と同径の孔を備えていて、当該孔にピン８２ａ（８２ｂ）が通されることで、長手方向中央部に配置されたピン８２ａ（８２ｂ）の周りで回転可能となっている。
又、各連結ロッド８０ａ（８０ｂ）における第１の端部（図１，図２，図４における前側の端部）には、楕円状の長孔９０ａ（９０ｂ）が設けられており、第２の端部（図１，図２，図４における後側の端部）には、楕円状の長孔９１ａ（９１ｂ）が設けられている。右側の連結ロッド８０ｂは、第１の端部が他の部分に平行で他の部分より上方となるように、第１の端部の境目で２回折り曲げられている。連結ロッド８０ｂの第１の端部は、連結ロッド８０ａの第１の端部と、連結ロッド８０ｂの第１の端部が上側となるように重ねられており、第１の端部の長孔９０ａ（９０ｂ）同士が重ねられていて、その長孔９０ａ（９０ｂ）に共通にロッド側ベアリング８８が通されている。
ロッド側ベアリング８８は、ロッド６のロッド基部７１の上部に固定されている。ロッド側ベアリング８８は、前ロッドガイド７２と後ロッドガイド７３の間に配置されている。ロッド側ベアリング８８は、長孔９０ａ（９０ｂ）内を転動可能である。長孔９０ａ（９０ｂ）を有する連結ロッド８０ａ（８０ｂ）は、ロッド側ベアリング８８を介して、ロッド６の前後動の作用を受け、ピン８２ａ（８２ｂ）周りで回転する。
【００１８】
ロッド６の一方側と他方側には、カウンタウェイト８４ａ，８４ｂが設けられている。より詳しくは、ロッド基部７１の左（右）に、第１のカウンタウェイト８４ａ（第２のカウンタウェイト８４ｂ）が配置されている。カウンタウェイト８４ａ（８４ｂ）の前端部は、これより後側の基部に対して膨らんでおり、当該前端部は直方体状で、当該基部は丸棒状である。
カウンタウェイト８４ａ（８４ｂ）の前端部の外側には、ギヤプレート７５のガイド部７５ａ（７５ｂ）が位置している。カウンタウェイト８４ａ（８４ｂ）の前端部の外側の面と、ガイド部７５ａ（７５ｂ）の内面は、互いに接触しており、カウンタウェイト８４ａ（８４ｂ）が往復動した場合に、ガイド部７５ａ（７５ｂ）はカウンタウェイト８４ａ（８４ｂ）を前後方向に案内（規制）する。ガイド部７５ａ（７５ｂ）は、ギヤ５０の浮上を防止するギヤプレート７２に設けられており、動力変換部４（ギヤ５０）のハウジング（の一部）と一体であって、ギヤプレート７２は、ハウジングとカウンタウェイトガイドの機能を兼ねる。
カウンタウェイト８４ａ（８４ｂ）の基部は、後ロッドガイド７３の左部（右部）を通っている。後ロッドガイド７３の左部（右部）には、カウンタウェイト８４ａ（８４ｂ）の基部と同径の孔が設けられており、当該孔にカウンタウェイト８４ａ（８４ｂ）の基部が通されることで、カウンタウェイト８４ａ（８４ｂ）が後ロッドガイド７３により前後方向に案内されるものとなる。従って、後ロッドガイド７３は、カウンタウェイト８４ａ（８４ｂ）のガイドを兼ねており、ロッド６及びカウンタウェイト８４ａ（８４ｂ）を前後方向に案内する。
【００１９】
各連結ロッド８０ａ（８０ｂ）における第２の端部の長孔９１ａ（９１ｂ）は、カウンタウェイト８４ａ（８４ｂ）の前端部の上側に配置されている。長孔９１ａ（９１ｂ）には、カウンタウェイト８４ａ（８４ｂ）の上部に固定されたウェイト側ベアリング８６ａ（８６ｂ）が通されている。ウェイト側ベアリング８６ａ（８６ｂ）は、長孔９１ａ（９１ｂ）内を転動可能である。
ロッド６の前後動により回転した連結ロッド８０ａ（８０ｂ）は、ウェイト側ベアリング８６ａ（８６ｂ）を介し、カウンタウェイト８４ａ（８４ｂ）を前後動させる。ロッド６が前進してロッド側ベアリング８８が前進すると（図１，図２，図４）、連結ロッド８０ａ（８０ｂ）の長孔９１ａ（９１ｂ）が後退して、ウェイト側ベアリング８６ａ（８６ｂ）を介し、カウンタウェイト８４ａ（８４ｂ）が後退する。ロッド６が後退してロッド側ベアリング８８が後退すると（図３，図５）、連結ロッド８０ａ（８０ｂ）の長孔９１ａ（９１ｂ）が前進して、ウェイト側ベアリング８６ａ（８６ｂ）を介し、カウンタウェイト８４ａ（８４ｂ）が前進する。かように、ロッド６の前後動と、カウンタウェイト８４ａ（８４ｂ）の前後動は、互いに逆位相である。尚、長孔９０ａ（９０ｂ）にロッドベアリング８８が入り、長孔９１ａ（９１ｂ）にウェイト側ベアリング８６ａ（８６ｂ）が入るので、連結ロッド８０ａ（８０ｂ）の回転移動に係る左右方向の成分は、ロッド６やカウンタウェイト８４ａ（８４ｂ）に作用しない。
【００２０】
このようなレシプロソー１の動作例を説明する。
作業者は、停止状態のロッド６にブレードを鋸歯が前となるようにセットし、被加工材にガイドシュー１２のシュープレート７７前部を当てる。そして、コードＶを電源に接続した状態で、ハンドル部２６を把持し、スイッチ２８をオンにすると、モータへの給電がなされて回転駆動軸４２が回転し、ギヤ５０が回転してガイドローラ５６が公転する。
ガイドローラ５６の公転により、スライダ５８を介して、ロッド６が前後動する。ガイドローラ５６は、スライダ５８内で自転もする。
【００２１】
又、ロッド６は、これと対称的に前後動する両脇のカウンタウェイト８４ａ，８４ｂにより、振動が抑制された状態で前後動する。
カウンタウェイト機構８は、カウンタウェイト８４ａ，８４ｂの、ロッド６と対称的な往復動を行う。カウンタウェイト８４ａ（８４ｂ）は、前後動の際、後ロッドガイド７３における対応する孔や、ガイド部７５ａ（７５ｂ）に接触し、前後方向に案内される。
ロッド６が前方へ動くと（図１，図２，図４）、連結ロッド８０ａ，８０ｂの長孔９０ａ，９０ｂが前方へ動いて連結ロッド８０ａ，８０ｂがピン８２ａ，８２ｂの周りで回転し、長孔９１ａ，９１ｂが後方へ動いて、カウンタウェイト８４ａ，８４ｂが後方へ動く。
ロッド６が後方へ動くと（図３，図５）、連結ロッド８０ａ，８０ｂの長孔９０ａ，９０ｂが後方へ動いて連結ロッド８０ａ，８０ｂがピン８２ａ，８２ｂの周りで回転し、長孔９１ａ，９１ｂが前方へ動いて、カウンタウェイト８４ａ，８４ｂが前方へ動く。
カウンタウェイト８４ａ，８４ｂは、互いに同等な重量を有しており、又左右方向においてロッド６（スライダ５８）を中心として対称的に配置されているので、上下の位置が揃う（同一水平面にロッド６（スライダ５８）並びにカウンタウェイト８４ａ，８４ｂのそれぞれの一部分が入る）ことで防振性を向上することが可能であるし、左右方向においてもバランスを確保して防振性を向上することが可能である。
【００２２】
ロッド６ないしブレードの作動状態で、作業者がハンドル部３８を押していくと、前後動するブレード６前辺の鋸歯が被加工材に当たり、上下方向を切断方向として被加工材が切断されていく。
作業者がスイッチ２８をオフにすると、モータの回転駆動軸４２が停止して、各種の前後動が停止する。
【００２３】
以上のレシプロソー１は、モータ（回転駆動軸４２）と、モータ（回転駆動軸４２）により駆動される動力変換部４と、動力変換部４につながるロッド６とを有しており、ロッド６の一方側に配置される第１のカウンタウェイト８４ａと、ロッド６の他方側に配置される第２のカウンタウェイト８４ｂとを有する。よって、往復動するロッド６の一方側と他方側の双方にカウンタウェイト８４ａ，８４ｂを配置することで、一方側のみあるいは他方側のみにカウンタウェイトを配置する場合に比べ、バランス等に配慮したカウンタウェイトの全体的な配置を実現することができ、防振性に優れたレシプロソー１を提供することができる。
又、レシプロソー１は、モータ（回転駆動軸４２）と、モータ（回転駆動軸４２）により駆動される動力変換部４と、動力変換部４につながるスライダ５８を備えるロッド６と、上下方向に延びるハンドル部２６とを有しており、ロッド６につながるカウンタウェイト８４ａ，８４ｂが設けられており、スライダ５８とカウンタウェイト８４ａ，８４ｂは、同一の水平面に入るように配置されている。よって、バランス等に配慮したロッド８とカウンタウェイト８４ａ，８４ｂの配置を実現することができ、防振性に優れたレシプロソー１を提供することができる。
更に、レシプロソー１は、モータ（回転駆動軸４２）と、モータ（回転駆動軸４２）により駆動される動力変換部４と、動力変換部４につながるロッド６と、上下方向に延びるハンドル部２６とを有する電動工具であって、ロッド６につながる連結ロッド８０ａ，８０ｂと、連結ロッド８０ａ，８０ｂにつながるカウンタウェイト８４ａ，８４ｂとが設けられており、連結ロッド８０ａ，８０ｂは、上下方向に延びるピン８２ａ，８２ｂにつながっている。よって、シンプルな構成で円滑にカウンタウェイト８４ａ，８４ｂを動かすことが可能な、防振性に優れたレシプロソー１を提供することができる。
【００２４】
加えて、レシプロソー１の連結ロッド８０ａ，８０ｂは、ロッド６と、カウンタウェイト８４ａ，８４ｂとに対し、順にロッド側ベアリング８８、ウェイト側ベアリング８６ａ，８６ｂを介してつながっている。よって、ロッド側ベアリング８８、ウェイト側ベアリング８６ａ，８６ｂによって連結ロッド８０ａ，８０ｂをスムーズに動かすことができ、シンプルな構成で円滑にカウンタウェイト８４ａ，８４ｂを動かすことが可能な、防振性に優れたレシプロソー１を提供することができる。
又、レシプロソー１では、前後動するカウンタウェイト８４ａ，８４ｂに接触可能なガイド部７５ａ，７５ｂが設けられている。よって、カウンタウェイト８４ａ，８４ｂの動作をより確実なものとして、一層防振性に優れたレシプロソー１を提供することができる。
更に、ガイド部７５ａ，７５ｂは、動力変換部４のハウジング（ギヤプレート７５）と一体である。よって、ハウジングとカウンタウェイト８４ａ，８４ｂのガイドを１個の部材で兼用することができ、部品点数を減らしながら、動作がより確実で更に防振性に優れたレシプロソー１を提供することができる。
【００２５】
尚、本発明は上記形態に限定されず、例えば次のような変更を適宜施すことができる。
右の連結ロッドを平坦とし、左の連結ロッドを折り曲げて右の連結ロッドの上に重ねても良いし、双方の連結ロッドを共に平坦としあるいは共に折り曲げたうえで、互いに重ねても良い。
上下方向のハンドル部に対して、ロッドやカウンタウェイトの往復動を上下方向としても良い。
往復動変換部において、ギヤの形式を変更しても良いし、ギヤの数を変更しても良いし、クランク以外の他の機構を採用したものとしても良い。
カウンタウェイト機構部において、連結ロッドの数を変えたり、クランク機構を用いたりする等、２個の水平に回転する連結ロッド以外の機構を採用して、カウンタウェイトをロッドと逆位相で往復動させて良い。
カウンタウェイトの形状を全体的に丸棒状とし、カウンタウェイトのガイド部のガイド面形状を円筒面とする等、各種部材の形状を変更することができる。又、１個のカウンタウェイトに対して２個のガイド部を設けたり、４個のカウンタウェイトを左右２個ずつ配置して連結ロッドを左右２個ずつ設けたり、本体ハウジングの後部左と後部右を一体としたり、本体ハウジングの前部を前部左と前部右に分離したりする等、各種部材の個数や配置等を変更することもできる。更に、ネジ止めによる固定に代えて、爪部と係止部による固定とする等、各種の部材について同機能を有する別の構成の部材に変更することもできる。
ブレードにつき、鋸歯以外の刃を有するものとして良い。
電源コードによる給電に代えて、バッテリによる給電として良く、そのバッテリを本体ハウジング等に装着可能として良い。
本発明は、レシプロソー以外の往復動切断工具に適用することができるし、往復動切断工具以外の電動工具に適用することもできる。
【符号の説明】
【００２６】
１・・レシプロソー（往復動切断工具、電動工具）、４・・動力伝達部（往復動変換部）、６・・ロッド、２６・・ハンドル部、４２・・（モータの）回転駆動軸、５８・・スライダ、７５ａ，７５ｂ・・ガイド部（カウンタウェイトガイド）、８０ａ，８０ｂ・・連結ロッド（カウンタウェイト駆動部）、８２ａ，８２ｂ・・ピン（回転軸）、８４ａ・・（第１の）カウンタウェイト、８４ｂ・・（第２の）カウンタウェイト、８６ａ，８６ｂ・・ウェイト側ベアリング（カウンタウェイト側のベアリング）、８８・・ロッド側ベアリング（出力部側のベアリング）。
【図１】
2015188952.tif 000003
【図２】
2015188952.tif 000004
【図３】
2015188952.tif 000005
【図４】
2015188952.tif 000006
【図５】
2015188952.tif 000007
【図６】
2015188952.tif 000008
【図７】
2015188952.tif 000009
【図８】
2015188952.tif 000010